(57)【要約】【課題】  建築物の壁面から露出している排気管が風の影響を受けないようにするとともに、建築物の美観を損なわないようにし、さらに、排気管内への虫等の異物が入り込まないようにする。【解決手段】  建築物の壁面Ｗから露出した排気管Ｐを覆う所定の容積を有し、かつ、その排気管Ｐの下方に位置する部分を開口６して建築物の壁Ｗに取付けるカバー本体１と、排気管Ｐの先端位置よりも下方で、かつ、空気の流通が可能なように所定の間隔を保って上下方向に互違いにしてカバー本体１内に設けた複数の邪魔板５とからなる。また、カバー本体１の側縁部、下端部に導水溝部９を設け、下端部には排水落下排水落下切欠き１０を形成する。さらにカバー本体１の開口には、虫等の異物の通過を阻止することのできる目開きを有する目皿８を取付部７に着脱自在に設ける。【選択図】      図１
2005282883.tif 000002
【特許請求の範囲】
【請求項１】
建築物の壁面から露出した排気管を覆うことができる所定の容積を有し、かつ、その建築物の壁面から露出した排気管の下方に位置する部分が開口している、その建築物の壁面に取付けられるカバー本体と、このカバー本体内に収納される排気管の先端位置よりも下方で、かつ、空気の流通が可能なように所定の間隔を保って上下方向に互違いにカバー本体内に設けられた複数の邪魔板と、からなることを特徴とする排気管カバー。
【請求項２】
請求項１に記載の排気管カバーにおいて、カバー本体の外形形状は、曲面により形成されていることを特徴とする排気管カバー。
【請求項３】
請求項１又は２に記載の排気管カバーにおいて、建築物の壁面から露出した排気管の下方に位置する部分のカバー本体の開口には、虫等の異物の通過を阻止することのできる目開きを有する目皿が着脱自在に設けられていることを特徴とする排気管カバー。
【請求項４】
請求項１乃至３のいずれかに記載の排気管カバーにおいて、カバー本体の下端部の中央部分は、最も下方に位置していることを特徴とする排気管カバー。
【請求項５】
請求項１乃至４のいずれかに記載の排気管カバーにおいて、カバー本体の側縁部及び下端部には、外方へ突出する導水溝部が設けられているとともに、その下端部における導水溝部の中央部分には、排水落下切欠きが設けられていることを特徴とする排気管カバー。
【発明の詳細な説明】
【技術分野】
【０００１】
本発明は排気管カバーに係り、特に、建築物の壁面から露出している排気管が風の影響を受けないようにするとともに、建築物の美観を損なわないようにし、さらに、排気管内への虫等の異物が入り込まないようにした排気管カバーに関する。
【背景技術】
【０００２】
建築物（建物）内に設置されているエアコンデショナ等の空調機器類の中には、排気を必要とするものも存在していて、そのための排気管（排気ホース）が建築物の外壁面から露出して設けられることがある。また、建築物の室内の空気を換気するためなどの理由により、室内と室外を連通するために建築物の外壁面から排気管が露出して設けられることもある。
【０００３】
上述の排気管は、建築物の壁面から露出している先端部分は宙に浮いている状態にあり、また建築物の外壁面の見栄えを損なうので、建築物の外壁面から露出している排気管部分には、これを覆うように排気管カバーが設けられている。この排気管カバーとしては、建築物の外壁面から露出している排気管の先端部分を支持するとともに、排気管から雨水が浸入しないように排気管を覆うように構成されている。また、排気管の先端の開口部分から虫等の異物が侵入しないように、その先端の開口部分に虫等の異物の通過を阻止できる目開きの網体が設けられることもある。
【０００４】
なお、本発明において、排気管は、建築物の室内から室外に空気を排出（放出）する機能だけでなく、室外から室内に空気を吸入する（取込む）機能を有している場合も含んでいる。
【特許文献１】特になし
【発明の開示】
【発明が解決しようとする課題】
【０００５】
しかしながら、上記従来の排気管カバーは、排気管の先端部がカバー本体外に露出しているので、突風などで排気管の排気機能が損なわれるおそれがあるとともに、建築物の美観が損なわれる欠点があった。また、カバー本体の表面に溜まった水（雨水）が建築物の壁面に伝い流れて建築物の壁面を汚損してしまうという欠点があった。
【０００６】
そこで、本発明は、上記欠点を解決するためになされたものであって、その目的は、排気管出口を覆って建築物の壁面から露出している排気管が風の影響を受けないようにするとともに、雨水等が排気管カバー表面から壁面に伝い流れることによる流跡が生じないようにして建築物の美観を損なわないようにし、さらに、排気管内への虫等の異物が入り込まないようにした排気管カバーを提供することにある。
【課題を解決するための手段】
【０００７】
本発明に係る排気管カバーは、上記目的を達成するために、建築物の壁面Ｗから露出した排気管Ｐを覆うことができる所定の容積を有し、かつ、その建築物の壁面Ｗから露出した排気管Ｐの下方に位置する部分が開口している、その建築物の壁面Ｗに取付けられるカバー本体１と、カバー本体１内に収納される排気管Ｐの先端位置よりも下方で、かつ、空気の流通が可能なように所定の間隔を保って上下方向に互違いにそのカバー本体１内に設けられた複数の邪魔板５と、からなることを特徴としている。
かかる構成において、建築物の壁面Ｗから露出している排気管Ｐはカバー本体１で覆われる。そして、そのカバー本体１で覆われている排気管Ｐはカバー本体１の開口６に設けられている邪魔板５の間隔を介して外気と連通される。
また、本発明に係る排気管カバーは、カバー本体１の外形形状は、曲面により形成されていることを特徴としている。
さらに、本発明に係る排気管カバーは、建築物の壁面Ｗから露出した排気管Ｐの下方に位置する部分の開口６には、虫等の異物の通過を阻止することのできる目開きを有する目皿８が着脱自在に設けられていることを特徴としている。
また、本発明に係る排気管カバーは、カバー本体１の下端部の中央部分は、最も下方に位置していることを特徴としている。
そして、本発明に係る排気管カバーは、カバー本体１の側縁部及び下端部には、外方へ突出する導水溝部９が設けられているとともに、その下端部における導水溝部９の中央部分には、排水落下切欠き１０が設けられていることを特徴としている。
【発明の効果】
【０００８】
本発明に係る排気管カバーによると、カバー本体１内の建築物の壁面Ｗから露出した排気管Ｐ出口を、カバー本体１の開口６に設けられている邪魔板５の間隔を介して外気と連通させているので、排気管Ｐへの雨水の浸入が防止されるのはもちろんであり、カバー本体１の開口６に邪魔板５が設けられているので、例えば突風が吹いても排気管Ｐでは逆流が発生することがなく、したがって、排気管Ｐの機能が損なわれることがないという特長がある。
【０００９】
また、本発明に係る排気管カバーは、カバー本体１の外形形状が曲面を呈しているので、カバー本体１の表面に水やほこりが溜まりにくく、しかも全体形状が曲面を呈しているので、建築物の美観を損なうことがないという特長がある。
【００１０】
さらに、本発明に係る排気管カバーは、建築物の壁面Ｗから露出した排気管Ｐの下方に位置する部分の開口６に虫等の異物の通過を阻止することのできる目開きを有する目皿８を着脱自在に設けているので、この目皿８の装着によって虫等の異物の侵入を効果的に防止することができ、またこの目皿８が必要ないときは外すことも可能であるので便利である。
【００１１】
また、本発明に係る排気管カバーは、カバー本体１の下端部の中央部分が最も下方に位置しているので、カバー本体１の表面に付着した水（雨水）はカバー本体１の最も低い部分に集まって落下するから、つまり建築物の壁面Ｗから最も遠い位置に集められて落下するから、建築物の壁面Ｗを汚損するおそれがないという効果が得られる。
【００１２】
そして、本発明に係る排気管カバーは、カバー本体１の側縁部及び下端部に外方へ突出する導水溝部９が設けられ、その導水溝部９の中央部分に排水落下切欠き１０が設けられているので、カバー本体１の表面に付着した水（雨水）は導水溝部９で効率よく集められ、そして集められた水は建築物の壁面Ｗから最も遠い位置にある排水落下切欠き１０から排水されるから、建築物の表面で伝い流れることがなく、従来のように流跡が生じることがないので、建築物の壁面Ｗを汚損するおそれがないという効果が得られる。
【００１３】
なお、上記課題を解決するための手段の項及び発明の効果の項のそれぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１４】
以下、本発明を実施するための最良の形態を図面にもとづいて説明する。図中、１は合成樹脂製のカバー本体である。なお、このカバー本体１は、アルミニウム合金製等の軽合金製とすることもできる。そして、このカバー本体１の外形形状は、建築物の壁面Ｗに当接される裏側及び下側が開放され、その表側の上部がほぼ半球体状を呈し、その上部から下側は円柱の縦割半分部分を呈していて、上部の半球体に連なるように形成されている。つまりこのカバー本体１の外形の表面は、曲面に形成されている。また、このカバー本体１の内側は、建築物の壁面Ｗから露出している排気管Ｐが収納できる容積を有している。すなわち、このカバー本体１は、建築物の壁面Ｗから露出している排気管Ｐの表側、上側及び左右側を薄板で円く覆うように構成されている。
【００１５】
上記排気管Ｐは例えば合成樹脂製の蛇腹式のパイプからなり、建築物の壁面Ｗに設けられている開孔から一部が突出して、かつ、端部が下向きに屈曲して設けられている。そして、この排気管Ｐの先端部分の開口部には、虫等の異物の通過を阻止できる所定の目開きを有する網体が設けられることもある。排気管Ｐと建築物の壁面Ｗに設けられている開孔との間隙から虫等の異物が入り込まないようにするために、及び排気管Ｐを固定するためにその間隙には、パテやコーキング材等からなるシール材Ｓが充填されている。なお、この排気管Ｐは端部が下向きに屈曲していないこともある。
【００１６】
図中、２はつば部であって、カバー本体１が建築物の壁面Ｗと接するよう、カバー本体１の解放縁部分にカバー本体１と連続して設けられている。そして、このつば部２の上部及び左右両側の下部部分には、取付孔３がそれぞれ設けられていて、この取付孔３にビス４を挿入して建築物の壁面Ｗにねじ込んでカバー本体１が取付けられるように構成されている。
【００１７】
図中、５は邪魔板であり、カバー本体１が建築物の壁面Ｗに取付けられたときにそのカバー本体１の下部に現れる開口６を通気性を保って覆えるように、そのカバー本体１と一体的に設けられている。すなわち、この邪魔板５は、開口６を全閉しない所定の大きさに形成されていて、先端部が互違いとなるように縦方向に所定の間隔を保って複数個（図示の例では２個）組合されて構成され、開口６近くのカバー本体１の内側に設けられている。また、各邪魔板５の先端部は次第に低くなるように傾斜状に設けられている。
【００１８】
上述のように、カバー本体１の開口６近くに邪魔板５が設けられているときは、カバー本体１の外側で突風のような風が吹いていてもカバー本体１内を無風状態に保つことができ、排気管Ｐの排気性能に影響を与えることがないという効果を得ることができる。また、カバー本体１の開口６に邪魔板５が設けられていると、鳥がカバー本体１内に巣を作るのを効果的に防止することができるという効果も得ることができる。さらに、各邪魔板５の先端部が低くなっているので、仮にカバー本体１に水が入っても速やかに排水することができる。
【００１９】
図中、７はカバー本体１と一体的に設けられた取付部であり、上記邪魔板５の下方で、かつ、カバー本体１の開口６近くに設けられていて、後述する目皿８を取付けることができるように構成されている。すなわち、この取付部７はカバー本体１の内壁面に沿って、かつ、水平方向に連続し、目皿８の厚さよりも小さくない所定の間隔を保って設けられた２条の突条片により構成されている。
【００２０】
図中、８は目皿であり、その平面形状は、図４に示されるようにカバー本体１の内形に対応する半円状を呈し、その厚さは、所定の間隔を保って設けられた２個の突条片により構成されている取付部７に挿入できるように決められている。そして、この目皿８の板面には、上記排気管Ｐに虫等の異物が入り込むことのできない所定の大きさの孔（図示の例ではスリット）が多数設けられている。したがって、この目皿８が取り付けられると、カバー本体１の開口６が目皿８で覆われることになり、カバー本体１内への虫等の異物の入り込みを効果的に防止できるだけでなく、開口６から鳥が入り込んで巣作りするのを効果的に防止することができる。
【００２１】
図中、９は導水溝部であり、カバー本体１の側縁部及び下端部で、かつ、所定幅員で外側に向けてカバー本体１の開口縁の外側で溝状となるように、カバー本体１から突片状にして設けてある前記つば部２に連続して設けられている。そして、この下端部における導水溝部９の中央部分には、カバー本体１の表面に連なる所定幅の排水落下切欠き１０が設けられている。また、この導水溝部９が設けられているカバー本体１の表面の下縁は、中央部分が最も下方に位置するようにカバー本体１の側面から見て下方傾斜するように形成されている。したがって、排水落下切欠き１０の位置が建築物の壁面Ｗから最も離れた位置となる。このため、カバー本体１の表面に付着した水（雨水）は、カバー本体１の表面の最も低い位置に集められるとともに、導水溝部９によっても水が効率よく集められ、この集められ水は建築物の壁面Ｗから最も離れた位置の排水落下切欠き１０から落下することができる。したがって、落下する水が建築物の壁面Ｗに触れることがなく壁面Ｗに流跡を生じさせたり、汚損させたりすることがない。
【００２２】
この導水溝部９は、カバー本体１の側縁部における上部の端部分、下端部の排水落下切欠き１０部分近傍においては次第に低くあるいは高くなる溝壁としてあり、雨水の導水溝部９内への導入、排水落下時の円滑性等が図れるようにしてある。
【００２３】
上記構成からなる排気管カバーを建築物の壁面Ｗに取付けるには、先ず、建築物の壁面Ｗに排気管Ｐがシール材Ｓで固定される。次いで、建築物の壁面Ｗから露出している排気管Ｐには取付部７に目皿８を挿入したカバー本体１が被せられる。この際、カバー本体１の開口６が下側となるようにして排気管Ｐに被せられる。そして、カバー本体１のつば部２に設けられている取付孔３を介してビス４が建築物の壁面Ｗにねじ込まれてカバー本体１が壁面Ｗに固定される。
【００２４】
上述のように、建築物の壁面Ｗから露出している排気管Ｐに邪魔板５を有する排気管カバー１が取付けられると、建築物の外で突風が吹いても排気管Ｐに逆流が発生することがなく、したがって、排気管Ｐの機能が損なわれることがないという特長がある。また、カバー本体１の外形形状が曲面を呈しているので、カバー本体１の表面に水やほこりが溜まりにくく、しかも全体形状が曲面を呈しているので、建築物の美観を損なうことがないという特長がある。そして、排気管Ｐの先端部に虫等の異物の通過を阻止することのできる目開きを有する目皿８が着脱自在に設けられているので、虫等の異物の侵入を効果的に防止することができる。また、カバー本体１の下端部の中央部分が最も下方に位置しているので、カバー本体１の表面に付着した水（雨水）はカバー本体１の最も低い部分に集まって落下するから、つまり建築物の壁面から最も遠い位置に集められて落下するから、しかも導水溝部９で効率よく集められて排水落下切欠き１０から排水されるから、建築物の壁面Ｗを汚損するおそれがないという効果が得られる。
【図面の簡単な説明】
【００２５】
【図１】本発明に係る排気管カバーの最良の実施の形態を示す一部切欠分解斜視図である。
【図２】同じく使用状態の断面図である。
【図３】同じく背面図である。
【図４】同じく目皿の着脱操作を示す底面図である。
【符号の説明】
【００２６】
１…カバー本体                          ２…つば部
３…取付孔                              ４…ビス
５…邪魔板                              ６…開口
７…取付部                              ８…目皿
９…導水溝部                            １０…排水落下切欠き
Ｗ…建築物の壁面                        Ｐ…排気管
Ｓ…シール材
【図１】
2005282883.tif 000003
【図２】
2005282883.tif 000004
【図３】
2005282883.tif 000005
【図４】
2005282883.tif 000006